(57)【特許請求の範囲】
【請求項１】
ディスプレイ装置と連動する電子装置の制御方法において、
前記ディスプレイ装置が設置された領域を撮影して映像を獲得するステップと、
前記獲得された映像を分析し、前記ディスプレイ装置が配置されるディスプレイ領域と前記ディスプレイ装置の背景領域とを判断し、前記背景領域に基づいて、前記ディスプレイ装置が設置される位置の背景映像に対する情報を獲得するステップと、
前記獲得された背景映像に対する情報を前記ディスプレイ装置に伝送するステップと
を含む制御方法。
【請求項２】
前記ディスプレイ装置は、複数の角領域に複数のマーカーを表示し、
前記背景映像に対する情報を獲得するステップは、
前記獲得された映像に含まれた複数のマーカーを用いて、前記ディスプレイ装置が配置されるディスプレイ領域と前記ディスプレイ装置の背景領域とを判断し、
前記複数のマーカーを用いて前記ディスプレイ領域と背景領域とに対する整列補正を行うことを特徴とする請求項１に記載の制御方法。
【請求項３】
前記背景映像に対する情報を獲得するステップは、
前記背景領域が単色である場合、前記背景領域のＲＧＢ平均値を獲得し、前記背景映像に対する情報を獲得することを特徴とする請求項１に記載の制御方法。
【請求項４】
前記背景領域は、前記ディスプレイ領域の上側に位置する第１背景領域、前記ディスプレイ領域の下側に位置する第２背景領域、前記ディスプレイ領域の左側に位置する第３背景領域、及び前記ディスプレイ領域の右側に位置する第４背景領域を含み、
前記背景映像に対する情報を獲得するステップは、
前記第１背景領域、第２背景領域、第３背景領域、及び第４背景領域のうち少なくとも一つを分析し、前記背景映像に対する情報を獲得することを特徴とする請求項１に記載の制御方法。
【請求項５】
前記ディスプレイ装置の大きさは、前記第１背景領域、第２背景領域、第３背景領域、及び第４背景領域のそれぞれの大きさに比べて予め設定された倍数の大きさを有し、
前記背景映像に対する情報を獲得するステップは、
前記第１背景領域、第２背景領域、第３背景領域、及び第４背景領域のうち少なくとも一つを前記予め設定された倍数分輻射し、前記背景映像に対する情報を獲得することを特徴とする請求項４に記載の制御方法。
【請求項６】
前記背景映像に対する情報を獲得するステップは、
前記第１背景領域、第２背景領域、第３背景領域、及び第４背景領域のうち少なくとも一つの一部の領域をタイル状に輻射して前記背景映像に対する情報を獲得することを特徴とする請求項４に記載の制御方法。
【請求項７】
前記獲得された映像を表示するステップを更に含み、
前記一部の領域は、前記表示された領域の中からユーザによって選択された領域であることを特徴とする請求項６に記載の制御方法。
【請求項８】
前記第１背景領域、第２背景領域、第３背景領域、及び第４背景領域のそれぞれを用いて生成された複数の背景映像を含むＵＩを表示するステップを更に含み、
前記伝送するステップは、
前記複数の背景映像のうちの一つが選択されると、前記選択された背景映像に対する情報を前記ディスプレイ装置に伝送することを特徴とする請求項４に記載の制御方法。
【請求項９】
前記ディスプレイ装置のカラーセンサから検知された前記背景領域に対する色温度情報を前記ディスプレイ装置から受信するステップと、
前記色温度情報を基に前記獲得された映像のホワイトバランス補正のための情報を生成するステップと
を含むことを特徴とする請求項１に記載の制御方法。
【請求項１０】
ディスプレイ装置と連動する電子装置において、
通信インターフェースと、
カメラと、
ディスプレイと、
前記ディスプレイ装置が設置された領域を撮影して映像を獲得するように前記カメラを制御し、前記獲得された映像を表示するように前記ディスプレイを制御し、前記獲得された映像を分析して前記ディスプレイ装置が配置されるディスプレイ領域と前記ディスプレイ装置の背景領域とを判断し、前記背景領域に基づいて、前記ディスプレイ装置が設置された位置の背景映像に対する情報を獲得し、前記獲得された背景映像に対する情報を前記ディスプレイ装置に伝送するように前記通信インターフェースを制御するプロセッサと
を含む電子装置。
【請求項１１】
前記ディスプレイ装置は、複数の角領域に複数のマーカーを表示し、
前記プロセッサは、
前記獲得された映像に含まれた複数のマーカーを用いて、前記ディスプレイ装置が配置されるディスプレイ領域と前記ディスプレイ装置の背景領域とを判断し、前記複数のマーカーを用いて前記ディスプレイ領域と背景領域とに対する整列補正を行うことを特徴とする請求項１０に記載の電子装置。
【請求項１２】
前記プロセッサは、
前記背景領域が単色である場合、前記背景領域のＲＧＢ平均値を獲得し、前記背景映像に対する情報を獲得することを特徴とする請求項１０に記載の電子装置。
【請求項１３】
前記背景領域は、前記ディスプレイ領域の上側に位置する第１背景領域、前記ディスプレイ領域の下側に位置する第２背景領域、前記ディスプレイ領域の左側に位置する第３背景領域、及び前記ディスプレイ領域の右側に位置する第４背景領域を含み、
前記プロセッサは、
前記第１背景領域、第２背景領域、第３背景領域、及び第４背景領域のうち少なくとも一つを分析し、前記背景映像に対する情報を獲得することを特徴とする請求項１０に記載の電子装置。
【請求項１４】
前記ディスプレイ装置の大きさは、前記第１背景領域、第２背景領域、第３背景領域、及び第４背景領域のそれぞれの大きさに比べて予め設定された倍数の大きさを有し、
前記プロセッサは、
前記第１背景領域、第２背景領域、第３背景領域、及び第４背景領域のうち少なくとも一つを前記予め設定された倍数分輻射し、前記背景映像に対する情報を獲得することを特徴とする請求項１３に記載の電子装置。
【請求項１５】
前記プロセッサは、
前記第１背景領域、第２背景領域、第３背景領域、及び第４背景領域のうち少なくとも一つの一部の領域をタイル状に輻射して前記背景映像に対する情報を獲得することを特徴とする請求項１３に記載の電子装置。
【発明の詳細な説明】
【技術分野】
【０００１】
本発明は、電子装置及びその制御方法に関し、より詳細には、ディスプレイ装置が設置された領域を撮影し、撮影された映像を分析して背景映像を獲得し、ディスプレイ装置に背景映像を伝送する電子装置及びその制御方法に関する。
【背景技術】
【０００２】
近来は、ディスプレイ装置を用いて多様なユーザの経験を提供する機能が開発されている。特に、図１に示すように、ディスプレイ装置２００の後ろの背景に対する背景映像を獲得し、ディスプレイ装置２００が背景映像を表示することで、ユーザにディスプレイが透明なガラス窓になったような視覚的効果を提供することができる。
【０００３】
このような視覚的効果を提供するために、従来は、ディスプレイ装置のない状況で背景映像を撮影し、ディスプレイ装置が撮影された背景映像を実際の背景と連続して映るように背景映像の大きさ及び角度を補正してきた。
【０００４】
この場合、背景映像の獲得当時のカメラの条件によっては、モアレ現象及び歪みが生じるという問題があった。なお、従来の方式では、ディスプレイ装置が一か所に設置された後は、ディスプレイ装置が設置された領域に対する背景映像を獲得することができないという問題が生じる。
【発明の概要】
【発明が解決しようとする課題】
【０００５】
そこで、本発明は、上記問題に鑑みてなされたものであり、本発明の目的とするところは、ディスプレイ装置が設置された領域を撮影して映像を獲得し、獲得された映像からディスプレイ装置の背景領域を獲得し、獲得された背景領域を用いて背景映像に対する情報を生成し、生成された背景映像に対する情報をディスプレイ装置に伝送する電子装置及びその制御方法を提供することにある。
【課題を解決するための手段】
【０００６】
前記目的を達成するための本発明の一実施形態に係るディスプレイ装置と連動する電子装置の制御方法は、前記ディスプレイ装置が設置された領域を撮影して映像を獲得するステップと、前記獲得された映像を分析し、前記ディスプレイ装置が配置されるディスプレイ領域と前記ディスプレイ装置の背景領域とを判断し、前記背景領域に基づいて、前記ディスプレイ装置が設置される位置の背景映像に対する情報を獲得するステップと、前記獲得された背景映像に対する情報を前記ディスプレイ装置に伝送するステップとを含む。
【０００７】
そして、前記ディスプレイ装置は、複数の角領域に複数のマーカーを表示し、前記背景映像に対する情報を獲得するステップは、前記獲得された映像に含まれた複数のマーカーを用いて、前記ディスプレイ装置が配置されるディスプレイ領域と前記ディスプレイ装置の背景領域とを判断し、前記複数のマーカーを用いて前記ディスプレイ領域と背景領域とに対する整列補正を行ってよい。
【０００８】
なお、前記背景映像に対する情報を獲得するステップは、前記背景領域が単色である場合、前記背景領域のＲＧＢ平均値を獲得し、前記背景映像に対する情報を獲得してよい。
【０００９】
そして、前記背景領域は、前記ディスプレイ領域の上側に位置する第１背景領域、前記ディスプレイ領域の下側に位置する第２背景領域、前記ディスプレイ領域の左側に位置する第３背景領域、及び前記ディスプレイ領域の右側に位置する第４背景領域を含み、前記背景映像に対する情報を獲得するステップは、前記第１背景領域、第２背景領域、第３背景領域、及び第４背景領域のうち少なくとも一つを分析し、前記背景映像に対する情報を獲得してよい。
【００１０】
なお、前記ディスプレイ装置の大きさは、前記第１背景領域、第２背景領域、第３背景領域、及び第４背景領域のそれぞれの大きさに比べて予め設定された倍数の大きさを有し、前記背景映像に対する情報を獲得するステップは、前記第１背景領域、第２背景領域、第３背景領域、及び第４背景領域のうち少なくとも一つを前記予め設定された倍数分輻射し、前記背景映像に対する情報を獲得してよい。
【００１１】
そして、前記背景映像に対する情報を獲得するステップは、前記第１背景領域、第２背景領域、第３背景領域、及び第４背景領域のうち少なくとも一つの一部の領域をタイル状に輻射して前記背景映像に対する情報を獲得してよい。
【００１２】
なお、前記獲得された映像を表示するステップを更に含み、前記一部の領域は、前記表示された領域の中からユーザによって選択された領域であってよい。
【００１３】
そして、前記第１背景領域、第２背景領域、第３背景領域、及び第４背景領域のそれぞれを用いて生成された複数の背景映像を含むＵＩを表示するステップを更に含み、前記伝送するステップは、前記複数の背景映像のうちの一つが選択されると、前記選択された背景映像に対する情報を前記ディスプレイ装置に伝送してよい。
【００１４】
なお、前記ディスプレイ装置のカラーセンサから検知された前記背景領域に対する色温度情報を前記ディスプレイ装置から受信するステップと、前記色温度情報を基に前記獲得された映像のホワイトバランス補正のための情報を生成してよい。
【００１５】
一方、前記目的を達成するための本発明の一実施形態に係るディスプレイ装置と連動する電子装置は、通信インターフェースと、カメラと、ディスプレイと、前記ディスプレイ装置が設置された領域を撮影して映像を獲得するように前記カメラを制御し、前記獲得された映像を表示するように前記ディスプレイを制御し、前記獲得された映像を分析して前記ディスプレイ装置が配置されるディスプレイ領域と前記ディスプレイ装置の背景領域とを判断し、前記背景領域に基づいて、前記ディスプレイ装置が設置された位置の背景映像に対する情報を獲得し、前記獲得された背景映像に対する情報を前記ディスプレイ装置に伝送するように前記通信インターフェースを制御するプロセッサとを含む。
【００１６】
そして、前記ディスプレイ装置は、複数の角領域に複数のマーカーを表示し、前記プロセッサは、前記獲得された映像に含まれた複数のマーカーを用いて、前記ディスプレイ装置が配置されるディスプレイ領域と前記ディスプレイ装置の背景領域とを判断し、前記複数のマーカーを用いて前記ディスプレイ領域と背景領域とに対する整列補正を行ってよい。
【００１７】
なお、前記プロセッサは、前記背景領域が単色である場合、前記背景領域のＲＧＢ平均値を獲得し、前記背景映像に対する情報を獲得してよい。
【００１８】
そして、前記背景領域は、前記ディスプレイ領域の上側に位置する第１背景領域、前記ディスプレイ領域の下側に位置する第２背景領域、前記ディスプレイ領域の左側に位置する第３背景領域、及び前記ディスプレイ領域の右側に位置する第４背景領域を含み、前記プロセッサは、前記第１背景領域、第２背景領域、第３背景領域、及び第４背景領域のうち少なくとも一つを分析し、前記背景映像に対する情報を獲得してよい。
【００１９】
なお、前記ディスプレイ装置の大きさは、前記第１背景領域、第２背景領域、第３背景領域、及び第４背景領域のそれぞれの大きさに比べて予め設定された倍数の大きさを有し、前記プロセッサは、前記第１背景領域、第２背景領域、第３背景領域、及び第４背景領域のうち少なくとも一つを前記予め設定された倍数分輻射し、前記背景映像に対する情報を獲得してよい。
【００２０】
そして、前記プロセッサは、前記第１背景領域、第２背景領域、第３背景領域、及び第４背景領域のうち少なくとも一つの一部の領域をタイル状に輻射して前記背景映像に対する情報を獲得してよい。
【００２１】
なお、前記一部の領域は、前記表示された領域の中からユーザによって選択された領域であってよい。
【００２２】
そして、前記プロセッサは、前記第１背景領域、第２背景領域、第３背景領域、及び第４背景領域のそれぞれを用いて生成された複数の背景映像を含むＵＩを表示するように前記ディスプレイを制御し、前記複数の背景映像のうちの一つが選択されると、前記選択された背景映像に対する情報を前記ディスプレイ装置に伝送するように前記通信部を制御してよい。
【００２３】
なお、前記プロセッサは、前記ディスプレイ装置のカラーセンサから検知された前記背景領域に対する色温度情報を前記ディスプレイ装置から受信するように前記通信部を制御し、前記色温度情報を基に前記獲得された映像のホワイトバランス補正のための情報を生成してよい。
【００２４】
一方、前記目的を達成するための本発明の一実施形態に係るディスプレイ装置と連動する電子装置の制御方法を実行するためのプログラムを保存するコンピュータ読み取り可能な記録媒体において、前記電子装置の制御方法は、前記ディスプレイ装置が設置された領域を撮影して映像を獲得するステップと、前記獲得された映像を分析し、前記ディスプレイ装置が配置されるディスプレイ領域と前記ディスプレイ装置の背景領域とを判断し、前記獲得された映像の中の背景領域を用いて、前記ディスプレイ装置が設置された位置の背景映像に対する情報を獲得するステップと、前記獲得された背景映像に対する情報を前記ディスプレイ装置に伝送するステップとを含む。
【００２５】
別の実施形態として、ディスプレイ装置と通信する電子装置を制御する方法が提供される。前記方法は、前記ディスプレイ装置が位置する領域を撮影して第１映像を獲得するステップと、前記第１イメージ内の前記ディスプレイ装置の位置に基づいて、前記第１イメージの一部分を背景セクションに決定するステップと、前記背景セクションを分析するステップと、前記分析に応答し、前記ディスプレイ装置上にディスプレイ可能な第２イメージを生成するのに利用可能な情報を獲得するステップと、前記獲得された情報を前記ディスプレイ装置に伝送するステップとを含む。
【００２６】
前記分析するステップは、前記背景セクションが単色であることを決定することを含んでよい。前記情報を獲得するステップは、背景セクションのカラーに対応する赤−緑−青（ＲＧＢ）平均値を獲得するステップを含んでよい。
【００２７】
前記分析するステップは、前記背景セクションが繰り返しパターンを含むことを決定するステップを含んでよい。前記情報を獲得するステップは、繰り返しパターンのマッチに関連するイメージパラメータを決定するステップを含んでよい。
【００２８】
なお、前記方法は、前記背景領域の各部分を用いて生成された複数のサムネール映像を含むユーザインターフェースをディスプレイし、前記複数のサムネール映像のうちの一つの選択に対応するユーザ入力を受信するステップを更に含んでよい。前記伝送するステップは、前記ユーザ入力の受信に応答し、前記選択されたサムネールイメージに関する情報を前記ディスプレイ装置に伝送するステップを更に含んでよい。
【発明の効果】
【００２９】
以上説明したように、本発明によれば、ディスプレイ装置が設定された後でも、背景映像を獲得することができるようになり、従来既に設置されたディスプレイ装置もガラス窓のようなイメージ効果を提供することができるようになる。
【図面の簡単な説明】
【００３０】
【図１】本発明の一実施形態に係るディスプレイが透明なガラス窓のようなイメージ効果を提供する実施形態を説明するための図である。
【図２】本発明の一実施形態に係る図１のイメージ効果を提供するディスプレイ装置を設置するためのシステムを示す図である。
【図３】本発明の一実施形態に係るディスプレイ装置が表示する背景映像を獲得するための電子装置の構成を概略に示すブロック図である。
【図４】本発明の一実施形態に係るディスプレイ装置が表示する背景映像を獲得するための電子装置の構成を詳細に示すブロック図である。
【図５】本発明の一実施形態に係る図１のイメージ効果を提供するディスプレイ装置の構成を示すブロック図である。
【図６Ａ】本発明の一実施形態に係る電子装置がディスプレイ装置にガラス窓効果を提供するために用いられる背景映像を獲得する方法を説明するための図である。
【図６Ｂ】本発明の一実施形態に係る電子装置がディスプレイ装置にガラス窓効果を提供するために用いられる背景映像を獲得する方法を説明するための図である。
【図７Ａ】本発明の一実施形態に係る電子装置がディスプレイ装置にガラス窓効果を提供するために用いられる背景映像を獲得する方法を説明するための図である。
【図７Ｂ】本発明の一実施形態に係る電子装置がディスプレイ装置にガラス窓効果を提供するために用いられる背景映像を獲得する方法を説明するための図である。
【図８Ａ】本発明の一実施形態に係る電子装置がディスプレイ装置にガラス窓効果を提供するために用いられる背景映像を獲得する方法を説明するための図である。
【図８Ｂ】本発明の一実施形態に係る電子装置がディスプレイ装置にガラス窓効果を提供するために用いられる背景映像を獲得する方法を説明するための図である。
【図９Ａ】本発明の一実施形態に係る電子装置がディスプレイ装置にガラス窓効果を提供するために用いられる背景映像を獲得する方法を説明するための図である。
【図９Ｂ】本発明の一実施形態に係る電子装置がディスプレイ装置にガラス窓効果を提供するために用いられる背景映像を獲得する方法を説明するための図である。
【図９Ｃ】本発明の一実施形態に係る電子装置がディスプレイ装置にガラス窓効果を提供するために用いられる背景映像を獲得する方法を説明するための図である。
【図１０Ａ】本発明の一実施形態に係る電子装置がディスプレイ装置にガラス窓効果を提供するために用いられる背景映像を獲得する方法を説明するための図である。
【図１０Ｂ】本発明の一実施形態に係る電子装置がディスプレイ装置にガラス窓効果を提供するために用いられる背景映像を獲得する方法を説明するための図である。
【図１０Ｃ】本発明の一実施形態に係る電子装置がディスプレイ装置にガラス窓効果を提供するために用いられる背景映像を獲得する方法を説明するための図である。
【図１０Ｄ】本発明の一実施形態に係る電子装置がディスプレイ装置にガラス窓効果を提供するために用いられる背景映像を獲得する方法を説明するための図である。
【図１０Ｅ】本発明の一実施形態に係る電子装置がディスプレイ装置にガラス窓効果を提供するために用いられる背景映像を獲得する方法を説明するための図である。
【図１１Ａ】本発明の一実施形態に係る電子装置がディスプレイ装置にガラス窓効果を提供するために用いられる背景映像を獲得する方法を説明するための図である。
【図１１Ｂ】本発明の一実施形態に係る電子装置がディスプレイ装置にガラス窓効果を提供するために用いられる背景映像を獲得する方法を説明するための図である。
【図１１Ｃ】本発明の一実施形態に係る電子装置がディスプレイ装置にガラス窓効果を提供するために用いられる背景映像を獲得する方法を説明するための図である。
【図１２】本発明の一実施形態に係る電子装置がディスプレイ装置にガラス窓効果を提供するために用いられる背景映像を獲得する方法を説明するための図である。
【図１３】本発明の一実施形態に係る電子装置がディスプレイ装置にガラス窓効果を提供するために用いられる背景映像を獲得する方法を説明するための図である。
【図１４】本発明の一実施形態に係る電子装置がディスプレイ装置が表示する背景映像を獲得するための方法を説明するためのフローチャートである。
【発明を実施するための形態】
【００３１】
本明細書で使用される用語について概略に説明してから、本発明について具体的に説明する。
【００３２】
本発明の実施形態で使用される用語は、本発明における機能を考慮しつつ可能な限り現在広く使われる一般的な用語を選択しているが、それは当分野に従事する技術者の意図または判例、新たな技術の実現などによって変わってよい。なお、特定の場合は、出願人が任意に選定した用語もあり、この場合、当該発明の説明で詳細にその意味を記載することとする。よって、本発明で使用される用語は、単なる用語の名称ではなく、その用語の有する意味と本発明の全般にわたる内容に基づいて定義されるべきである。
【００３３】
本発明の実施形態は、多様な変換を施すことができ、様々な実施形態を有することができるため、特定の実施形態を図面に例示し、詳細な説明に詳細に説明する。しかし、それは、特定の実施形態に対して範囲を限定するものではなく、発明された思想及び技術範囲に含まれた全ての変換、均等物ないし代替物を含むものとして理解されるべきである。実施形態を説明するうえで関連する公知技術に対する具体的な説明が要旨を曖昧にするおそれがあると判断される場合、その詳細な説明を省略する。
【００３４】
第１及び第２などの用語は、多様な構成要素を説明するのに使用されるが、構成要素は用語によって限定されるべきではない。用語は、一つの構成要素を別の構成要素から区別する目的としてのみ使用される。
【００３５】
単数の表現は、文脈上明白に異なるものを意味しない限り、複数の表現を含む。本出願において、「含む」または「構成される」などの用語は、明細書上に記載された特徴、数字、ステップ、動作、公正要素、部品またはこれらを組み合わせたものが存在することを指定するものではあって、一つまたはそれ以上の別の特徴や数字、ステップ、動作、構成要素、部品またはこれらを組み合わせたものの存在または付加可能性を予め排除しないものとして理解されるべきである。
【００３６】
本発明の実施形態において、「モジュール」あるいは「部」は、少なくとも一つの機能や動作を行い、ハードウェアまたはソフトウェアで実現されるか、ハードウェアとソフトウェアとの組み合わせてで実現されてよい。なお、複数の「モジュール」あるいは複数の「部」は、特定のハードウェアで実現される必要があるため、「モジュール」或いは「部」を除いては、少なくとも一つのモジュールで一体化されて少なくとも一つのプロセッサ（図示せず）で実現されてよい。
【００３７】
本発明の実施形態において、或る部分が別の部分と「接続」されているとすると、それは「直接接続」されている場合だけでなく、その中間に別の素子を隔てて「電気的に接続」されている場合も含む。なお、物理的な接続だけでなく、無線接続されている場合も含む。なお、或る部分が或る構成要素を「含む」とすると、それは別に反対する記載がない限り、別の構成要素を除くものではなく、別の構成要素を更に含むことができることを意味する。
【００３８】
以下では、添付の図面を参考にし、本発明の実施形態について、本発明の属する技術分野で通常の知識を有する者が容易に実施できるように詳細に説明する。しかし、本発明は、様々な形態で実現されてよく、ここで説明する実施形態に限定されない。そして、図面において本発明を明確に説明するために、説明と関係のない部分は省略しており、明細書全体を通して類似する部分に対しては類似する図面に符号を付している。
【００３９】
以下では、図面を参照して本発明について詳細に説明する。図２は、本発明の一実施形態に係る図１のイメージ効果を提供するディスプレイ装置２００を設置するためのシステム１０を示す図である。ディスプレイ装置２００を設置するためのシステム１０は、図２に示すように、ディスプレイ装置２００及び電子装置１００を含んでよい。このとき、ディスプレイ装置２００は、デジタルテレビであってよいが、それは一実施形態に過ぎず、デスクトップ、キヨスク端末などのような多様なディスプレイ装置で実現されてよい。なお、電子装置１００は、スマートフォンで実現されているが、それは一実施形態に過ぎず、リモートコントローラ、ＰＤＡ、タブレットパソコン、ノートパソコンなどのような多様な電子装置で実現されてよい。
【００４０】
特に、ディスプレイ装置２００は、特定位置（例えば、壁）に設置されてよい。
【００４１】
ディスプレイ装置２００が設置された後、電子装置１００はディスプレイ装置２００が設定された位置を撮影し、ディスプレイ装置２００とディスプレイ装置２００の周辺の背景領域を含む映像を獲得することができる。
【００４２】
そして、電子装置１００は、映像を分析してディスプレイ装置２００が位置するディスプレイ領域とディスプレイ装置２００の背景領域とを判断し、獲得された映像の中の背景領域を用いて、ディスプレイ装置２００が設置された領域の背景映像に対する情報を獲得することができる。
【００４３】
具体的に、背景領域の色が単色である場合、電子装置１００は背景領域の色情報（例えば、ＲＧＢ平均値）を用いて、背景映像に対する情報を獲得することができる。なお、背景領域が一定のパターンを有している場合、電子装置１００はディスプレイ装置２００の背景領域中の一部を輻射して背景映像に対する情報を獲得することができる。
【００４４】
このとき、電子装置１００は、背景映像に対するイメージだけでなく、ホワイトバランス情報などのような多様な背景映像に対する情報を獲得することができる。
【００４５】
そして、電子装置１００は、獲得された背景映像に対する情報をディスプレイ装置２００に伝送することができる。
【００４６】
ディスプレイ装置２００は、獲得された背景映像に対する情報を基に、図１のイメージ効果（以下では、「ガラス窓効果」）を提供することができる。
【００４７】
図３は、本発明の一実施形態に係るガラス窓効果を提供するディスプレイ装置２００に背景映像を提供するための電子装置の構成を概略に示すブロック図である。図３に示すように、電子装置１００は、通信部１１０と、撮影部１２０と、ディスプレイ１３０及びプロセッサ１４０を含んでよい。このとき、電子装置１００は、上述しているように、スマートフォンで実現されてよいが、それは一実施形態に過ぎず、ＰＤＡ、リモートコントローラ、タブレットパソコン、ノートパソコンなどのような多様な携帯端末で実現されてよい。
【００４８】
通信部１１０は、外部の装置と通信を行うことができる。特に、通信部１１０は、ディスプレイ装置２００と通信を行い、ディスプレイ装置２００にディスプレイ装置２００が位置した領域の背景映像に対する情報を伝送することができる。なお、通信部１１０は、ディスプレイ装置２００からディスプレイ装置２００の背景領域に対する色温度情報を受信することができる。
【００４９】
撮影部１２０は、電子装置１００の背面（すなわち、ディスプレイ１３０が配置された面の反対に位置する面）に配置されて映像を撮影する。特に、撮影部１２０は、ディスプレイ装置２００が位置するディスプレイ領域及びディスプレイ装置２００周辺の背景領域を含む映像を獲得することができる。このとき、撮影部１２０は、レンズ及びイメージセンサを含んでよい。
【００５０】
ディスプレイ１３０は、映像データを出力する。特に、ディスプレイ１３０は、撮影部１２０によって撮影された映像（すなわち、ディスプレイ領域及び背景領域が含まれた映像）を表示することができる。このとき、ディスプレイ１３０は、ディスプレイ領域と背景領域とを区分するためのディスプレイ装置２００の位置をガイドするためのインディケータを表示することができる。なお、ディスプレイ１３０は、複数の背景領域を用いて生成された複数の背景映像を含むＵＩを表示することができる。
【００５１】
プロセッサ１４０は、電子装置１００の動作全般を制御する。特に、プロセッサ１４０は、撮影部１２０を介して獲得された映像を分析してディスプレイ装置２００が配置されるディスプレイ領域とディスプレイ装置２００の背景領域とを判断することができる。そして、プロセッサ１４０は、獲得された映像中の背景領域を用いて、ディスプレイ装置２００が設置される位置の背景映像に対する情報を獲得し、獲得された背景映像に対する情報をディスプレイ装置２００に伝送するように通信部１１０を制御することができる。
【００５２】
具体的に、ディスプレイ装置２００が複数の角領域に複数のマーカーを表示する場合、プロセッサ１４０は獲得された映像に含まれた複数のマーカーを用いて、ディスプレイ装置２００が配置されるディスプレイ領域とディスプレイ装置２００の背景領域とを判断することができる。そして、ディスプレイ装置２００は、複数のマーカーを用いてディスプレイ領域と背景領域とに対する整列補正を行うことができる。
【００５３】
そして、ディスプレイ装置２００は、ディスプレイ領域と背景領域のうち、背景領域を用いて背景映像に対する情報を獲得することができる。
【００５４】
具体的に、背景領域が単色である場合、プロセッサ１４０は背景領域のＲＧＢ平均値を獲得して背景映像に対する情報を獲得することができる。
【００５５】
または、背景領域がディスプレイ領域の上側に位置する第１背景領域、前記ディスプレイ領域の下側の位置する第２背景領域、前記ディスプレイ領域の左側に位置する第３背景領域、及び前記ディスプレイ領域の右側に位置する第４背景領域を含む場合、プロセッサ１４０は、第１背景領域、第２背景領域、第３背景領域、及び第４背景領域のうち、少なくとも一つを分析して背景映像に対する情報を獲得することができる。特に、ディスプレイ装置２００の大きさが第１背景領域、第２背景領域、第３背景領域、及び第４背景領域のそれぞれの大きさに比べて、予め設定された倍数の大きさを有する場合、プロセッサ１４０は、第１背景領域、第２背景領域、第３背景領域、及び第４背景領域のうち少なくとも一つを予め設定された倍数分輻射し、背景映像に対する情報を獲得することができる。または、プロセッサ１４０は、第１背景領域、第２背景領域、第３背景領域、及び第４背景領域のうち、少なくとも一つの一部の領域をタイル状に輻射して背景映像に対する情報を獲得することができる。このとき、一部の領域は、表示された映像の中からユーザによって選択された領域であってよい。
【００５６】
なお、プロセッサ１４０は、ディスプレイ装置２００のカラーセンサから検知された背景領域に対する色温度情報をディスプレイ装置２００から受信するように通信部１１０を制御することができる。そして、プロセッサ１４０は、色温度情報を基に獲得された映像のホワイトバランス補正のための情報を生成することができる。
【００５７】
そして、プロセッサ１４０は、獲得された背景映像に対する情報をディスプレイ装置２００に伝送するように通信部１１０を制御することができる。特に、プロセッサ１４０は、第１背景領域、第２背景領域、第３背景領域、及び第４背景領域のそれぞれを用いて生成された複数の背景映像を含むＵＩを表示するようにディスプレイ１３０を制御することができる。そして、複数の背景映像のうちの一つが選択されると、プロセッサ１４０は、選択された背景映像に対する情報をディスプレイ装置２００に伝送するように通信部１１０を制御することができる。
【００５８】
図４は、本発明の一実施形態に係るガラス窓効果を提供するディスプレイ装置を設置する際に用いられる電子装置１００の構成を詳細に示すブロック図である。図４に示すように、電子装置１００は、通信部１１０、撮影部１２０、ディスプレイ１３０、スピーカ１５０、メモリ１６０、検知部１７０及びプロセッサ１４０を含む。一方、図４に示す電子装置１００の構成は、一例に過ぎないため、必ずしも上述のブロック図に限定されるものではない。よって、電子装置１００は、種類または電子装置１００の目的に応じて、図４に示す電子装置１００の構成の一部が省略または変形されたり、追加されることがある。
【００５９】
通信部１１０は、外部のディスプレイ装置２００または外部のサーバと通信を行う。特に、通信部１１０は、ＲＦ通信モジュール、ＢＴ（Ｂｌｕｅｔｏｏｔｈ（登録商標））通信モジュール、ＷｉＦｉ通信モジュール、赤外線通信モジュールを含んでよく、それぞれの通信モジュールは、コネクティビティチップ、通信回路（ｃｉｒｃｕｉｔｒｙ）、通信インターフェースなどで実現されてよい。
【００６０】
ＲＦ通信モジュールは、１３５ｋＨｚ、１３．５６ＭＨｚ、４３３ＭＨｚ、８６０〜９６０ＭＨｚ、２．４５ＧＨｚなどのような多様なＲＦ−ＩＤ周波数帯域のうちの一つのＲＦ信号を受信することができる。ＢＴ通信モジュール及びＷｉＦｉ通信モジュールは、ブルートゥース（登録商標）チップまたはＷｉＦｉチップを用いてＳＳＩＤ及びセッションキーなどのような各種接続情報を先に送受信し、それを用いて通信接続した後で各種情報を送受信することができる。特に、電子装置１００は、ＢＴ通信モジュールまたはＷｉＦｉ通信モジュールを用いて外部のディスプレイ装置２００と通信を行うことができる。このとき、ブルートゥースチップまたはＷｉＦｉチップは、一つまたは２つ以上ではあってよい。その他に、通信部１１０は、Ｚｉｇｂｅｅ通信モジュール、ＮＦＣ通信モジュールのような多様な通信モジュールを介して外部装置と通信を行うことができる。
【００６１】
一方、通信部１１０は、第１通信モジュール（例えば、ＢＴ通信モジュール）を用いてディスプレイ装置２００と通信を行い、第２通信モジュール（例えば、ＷｉＦｉ通信モジュール）を用いて外部のサーバと通信を行うことができるが、それは一実施形態に過ぎず、同様の類型の通信モジュールを用いてディスプレイ装置２００または外部のサーバと通信を行うことができる。
【００６２】
撮影部１２０は、映像を撮影する。このとき、撮影部１２０は、ディスプレイ装置２００が設置されたディスプレイ領域及びディスプレイ装置２００の周辺の背景領域を含む映像を獲得することができる。このとき、撮影部１２０は、複数のカメラモジュールを有するデュアルカメラであってよいが、それは一実施形態に過ぎず、一つのカメラモジュールを備えてよい。または、撮影部１２０は、ディスプレイ１３０が配置された反対面に配置され、ユーザが映像を撮影すると同時に撮影された映像を視聴することができる。
【００６３】
ディスプレイ１３０は、多様な映像データ及びＵＩを表示する。特に、ディスプレイ１３０は、撮影部１２０によって撮影された映像（すなわち、ディスプレイ領域及び背景領域が含まれた映像）を表示することができる。その他に、ディスプレイ１３０は、ディスプレイ装置２００が表示する背景映像に対する情報を獲得するための多様なＵＩ及びインディケータを表示することができる。
【００６４】
一方、本発明の一実施形態によると、ディスプレイ１３０は、タッチ検知部と組み合わせて、タッチスクリーンで実現されてよく、フレキシブルディスプレイ（ｆｒｅｘｉｂｌｅ  ｄｉｓｐｌａｙ）の形態で電子装置１００の全面領域、側面領域、及び背面領域のうち、少なくとも２領域に配置されてよい。フレキシブルディスプレイは、紙のように薄く柔らかい基板を通じて、損傷なく曲げたり反ったり巻くことができることを特徴とすることができる。
【００６５】
スピーカ１５０は、オーディオ処理部（図示せず）によってデコーディングや増幅、ノイズフィルタリングのような多様な処理作業が行われた各種オーディオデータだけでなく、各種報知音や音声メッセージを出力する構成である。本発明の別の実施形態によると、スピーカ１５０はディスプレイ装置２００を設置する際にガイドメッセージをオーディオで提供することができる。
【００６６】
メモリ１６０は、電子装置１００を駆動するための多様なモジュールを保存する。例えば、メモリ１６０には、ベースモジュール、センシングモジュール、通信モジュール、プレゼンテーションモジュール、ウェブブラウザモジュール、サービスモジュールを含むソフトウェアが保存されてよい。このとき、ベースモジュールは、電子装置１００に含まれた各ハードウェアから伝達される信号を処理して上位レイヤモジュールに伝達する基礎モジュールである。センシングモジュールは、各種センサから情報を収集し、収集された情報を分析及び管理するモジュールとして、顔認識モジュール、音声認識モジュール、モーション認識モジュール、ＮＦＣ認識モジュールなどを含んでよい。プレゼンテーションモジュールは、ディスプレイ画面を構成するためのモジュールとして、マルチメディアコンテンツを再生して出力するためのマルチメディアモジュール、ＵＩ及びグラフィック処理を行うＵＩレンダリングモジュールを含んでよい。通信モジュールは、外部と通信を行うためのモジュールである。ウェブブラウザモジュールは、ウェブブラウジングを行ってウェブサーバにアクセスするモジュールを意味する。サービスモジュールは、多様なサービスを提供するための各種アプリケーションを含むモジュールである。
【００６７】
上述のように、メモリ１６０は、多様なプログラムモジュールを含むことができるが、各種プログラムモジュールは電子装置１００’の種類及び特性に応じて一部省略されたり変形または追加されることができる。
【００６８】
特に、メモリ１６０は、ディスプレイ装置２００を設置する際、用いられるアプリケーションに対する情報を保存することができる。
【００６９】
検知部１７０は、ユーザ命令を検知するための多様な検知センサで実現されてよい。例えば、検知部１７０は、タッチ検知部を含んでよい。なお、検知部１７０は、多様なセンサを用いて多様な情報を検知する。例えば、検知部１７０は、動作センサ（例えば、加速度センサ、ジャイロセンサ、地磁気センサなど）を用いて動作情報を検知することができる。
【００７０】
プロセッサ１４０は、電子装置１００の動作全般を制御する。特に、プロセッサ１４０は、撮影された映像中のガイド部材内にディスプレイ装置２００が設置される領域の背景を分析し、ディスプレイ装置２００が設置される位置の背景映像に対する情報を獲得し、背景映像に対する情報をディスプレイ装置２００に伝送するように通信部１１０を制御してよい。
【００７１】
図５は、本発明の一実施形態に係るガラス窓効果を提供するディスプレイ装置の構成を示すブロック図である。図５を参照すると、本実施形態に係るディスプレイ装置２００は、放送受信部２３０と、信号分離部２３５、Ａ／Ｖ処理部２４０、オーディオ出力部２４５、保存部２５０、通信部２５５、操作部２６０、プロセッサ２７０、映像信号生成部２７５、パネル部２８０及びＬＥＤドライバ２９０を含む。
【００７２】
放送受信部２３０は、放送局または衛星から有線または無線で放送を受信して復調する。具体的に、放送受信部２３０は、アンテナまたはケーブルを介して伝送ストリームを受信して復調し、デジタル伝送ストリーム信号（具体的に、クロック（ｃｌｏｃｋ）信号（ＴＳ＿ＣＬＫ）、同期（ｓｙｎｃ）信号（ＴＳ＿ＳＹＮＣ）、有効（ｖａｌｉｄ）信号（ＴＳ＿ＶＡＬＩＤ）、８のデータ信号（ＴＳ＿ＤＡＴＡ[７：０]）を出力することができる。なお、放送受信部２３０は、外部装置（例えば、セットトップボックス）から放送信号を受信することができる。
【００７３】
信号分離部２３５は、放送受信部２３０から提供された伝送ストリーム信号を映像信号、オーディオ信号、付加情報信号に分離する。そして、信号分離部２３５は、映像信号及びオーディオ信号をＡ／Ｖ処理部２４０に伝送する。
【００７４】
Ａ／Ｖ処理部２４０は、放送受信部２３０及び保存部２５０から入力された映像信号及びオーディオ信号に対し、ビデオデコーディング、ビデオスケーリング、オーディオデコーディングなどの信号処理を行う。そして、Ａ／Ｖ処理部２４０は、映像信号を映像信号提供部２２０に出力し、オーディオ信号をオーディオ出力部２４５に出力する。
【００７５】
一方、受信された映像及びオーディオ信号を保存部２５０に保存する場合、Ａ／Ｖ処理部２４０は映像とオーディオとを圧縮した形で保存部２５０に出力することができる。
【００７６】
オーディオ出力部２４５は、Ａ／Ｖ処理部２４０から出力されるオーディオ信号をサウンドに変換してスピーカ（図示せず）を介して出力させたり、外部出力端子（図示せず）を介して接続された外部機器に出力する。
【００７７】
映像信号提供部２７５は、ユーザに提供するためのＧＵＩ（Ｇｒａｐｈｉｃ  Ｕｓｅｒ  Ｉｎｔｅｒｆａｃｅ）を生成する。そして、映像信号提供部２７５は、生成されたＧＵＩをＡ／Ｖ処理部２４０から出力された映像に付加する。そして、映像信号提供部２７５は、ＧＵＩが付加された映像に対応する映像信号をパネル部２８０に提供する。それにより、パネル部２８０は、ディスプレイ装置２００から提供する各種情報及び映像信号提供部２７５から伝達された映像を表示する。
【００７８】
そして、映像信号提供部２７５は、映像信号に対応する輝度情報を抽出し、抽出された輝度情報に対応する調光（Ｄｉｍｍｉｎｇ）信号を生成することができる。そして、映像信号提供部２７５は、生成された調光信号をパネル部２８０に提供することができる。このような調光信号は、ＰＷＭ信号であってよい。一方、本実施形態においては、映像信号提供部２７５で調光信号を生成してパネル部２８０に提供するものとして説明したが、実現の際には、映像信号を受信したパネル部２８０が調光信号を自主的に生成して利用する形態でも実現されてよい。
【００７９】
パネル部２８０は、映像を表示する。このようなパネル部２８０は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）ディスプレイ、ＰＤＰ（Ｐｌａｓｍａ  Ｄｉｓｐｌａｙ  Ｐａｎｅｌ）などのような多様な形態のディスプレイで実現されてよい。パネル部２８０内には、ａ−ｓｉ、ＴＦＴ、ＬＴＰＳ（Ｌｏｗ  Ｔｅｍｐｅｒａｔｕｒｅ  Ｐｏｌｙ  Ｓｉｌｉｃｏｎ）ＴＦＴ、ＯＴＦＴ（Ｏｒｇａｎｉｃ  ＴＦＴ）などのような形態で実現できる駆動回路、バックライトユニットなども併せて含まれてよい。一方、パネル部２８０は、タッチ検知部と組み合わせてタッチスクリーンで実現されてよい。
【００８０】
パネル部２８０は、バックライトから発光する光をＬＣＤを介して透過させるか、透過度合を調節して階調を表示するＬＣＤパネルで構成される場合、パネル部２８０は、電源供給部（図示せず）を介してバックライトに必要な電源を入力され、バックライトから発光する光をＬＣに透過する。そして、パネル部２８０は、電源供給部（図示せず）からピクセル電極及び共通電極に使用される電源を入力され、映像信号提供部２７５に入力される映像信号に応じて各ＬＣを調節して映像を表示することができる。
【００８１】
ここで、バックライトは、ＬＣＤに光を発散する構成として、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）及び発光ダイオード（Ｌｉｇｈｔ  Ｅｍｉｔｔｉｎｇ  Ｄｉｏｄｅ：ＬＥＤ）などで構成されてよい。以下では、バックライトを発光ダイオードと発光ダイオード駆動回路で構成されるものとして示して説明するが、実現の際には、ＬＥＤ以外に他の構成で実現されてよい。
【００８２】
一方、光を発光する発光ダイオードを用いる場合、バックライトはＬＥＤ駆動のためのＬＥＤドライバ部が備えられなければならない。具体的に、ＬＥＤドライバ部は、映像信号提供部２７５から提供される調光情報に対応する輝度値でバックライトが動作するように輝度値に対応する定電流をＬＥＤに提供する構成である。このようなＬＥＤドライバ部は、調光信号に応じてＬＥＤに定電流を提供しなくてよい。
【００８３】
一方、パネル部２８０がＯＬＥＤパネルである場合、パネル部２８０は、後述の映像信号提供部２７５から提供される映像信号及び電源供給部から供給される駆動電源に対応する映像を表示することができる。そのために、ＯＬＥＤパネル部２８０は、有機電界発光ダイオードを含む複数の画素を備えることができる。ここで、有機電界発光ダイオードは、蛍光性有機化合物に電流が流れると、光を発する電界発光現象を用いて自ら光を発する「自主発光型有機物質」のことをいう。
【００８４】
ＬＥＤドライバ２９０は、プロセッサ２７０の制御によってパネル部２８０を駆動する。
【００８５】
そして、保存部２５０は、映像コンテンツを保存することができる。具体的に、保存部２５０は、Ａ／Ｖ処理部２４０から映像とオーディオとが圧縮された映像コンテンツの提供を受けて保存することができ、プロセッサ２７０の制御によって保存された映像コンテンツをＡ／Ｖ処理部２４０に出力することができる。一方、保存部２５０は、ハードディスク、非揮発性メモリ、揮発性メモリなどで実現されてよい。
【００８６】
操作部２６０は、タッチスクリーン、タッチパッド、キーボタン、キーパッドなどで実現され、ディスプレイ装置２００のユーザ操作を提供する。本実施形態では、ディスプレイ装置２００に備えられた操作部２６０を介して制御命令を受ける例を説明したが、操作部２６０は、外部制御装置（例えば、リモコン）からユーザ操作を入力されることもできる。
【００８７】
通信部２５５は、多様な通信方式によって多様な外部機器と通信を行う構成である。通信部２５５は、Ｗｉ−Ｆｉチップ、ブルートゥースチップを含んでよい。プロセッサ２７０は、通信部２５５を用いて各種外部機器と通信を行うことができる。特に、通信部２５５は、外部の電子装置１００と通信を行うことができる。
【００８８】
その他に、図５に示していないが、実施形態によっては、通信部２５５はＵＳＢコネクタが接続され得るＵＳＢポートや、ヘッドセット、マウス、ＬＡＮなどのような多様な外部端子と接続するための多様な外部入力ポート、ＤＭＢ（Ｄｉｇｉｔａｌ  Ｍｕｌｔｉｍｅｄｉａ  Ｂｒｏａｄｃａｓｔｉｎｇ）信号を受信して処理するＤＭＢチップなどを更に含むことができる。
【００８９】
なお、ディスプレイ装置２００は、電源供給部及びセンシング部を更に含んでよい。電源供給部は、ディスプレイ装置２００内の各構成に電源を供給する。具体的に、電源供給部は、相互異なる電位の複数の駆動電源を生成し、その中の一つの駆動電源の電圧値をフィードバック制御することができる。
【００９０】
なお、センシング部は、多様なセンシング情報を獲得するためのセンサを含む。具体的に、センシング部は、ディスプレイ装置２００周辺の背景領域の色温度に対応する情報を獲得するためのカラーセンサを含むことができる。その他に、センシング部は、カメラ、動作検知部などのような多様なセンシング装置を含むことができる。
【００９１】
プロセッサ２７０は、ディスプレイ装置２００の動作全般を制御する。具体的に、プロセッサ２７０は、操作部２６０を介して入力される制御命令による映像が表示されるように、映像信号提供部２７５、パネル部２８０を制御することができる。特に、プロセッサ２７０は、図５に示すように、ＣＰＵ、ＧＰＵ、ＲＯＭ、ＲＡＭを含んでよい。
【００９２】
特に、プロセッサ２７０は、電子装置１００から背景映像に対する情報を受信するように通信部２５５を制御することができる。そして、プロセッサ２７０は、背景映像に対する情報に基づいて背景映像レイヤを生成してよい。
【００９３】
そして、プロセッサ２７０は、背景映像レイヤとＧＰＵから生成された映像レイヤまたはＡ／Ｖ処理部２４０から生成された映像レイヤを合成し、一つの映像を生成することができる。
【００９４】
なお、プロセッサ２７０は、センシング部によって検知されたセンシング値（例えば、色温度情報など）に基づいて複数の映像レイヤのうち、少なくとも一つの画質を調節することができる。
【００９５】
特に、プロセッサ２７０は、ユーザ操作に応じて電子装置１００から受信した背景映像レイヤとＧＰＵで生成された映像レイヤまたはＡ／Ｖ処理部２４０で生成された映像レイヤを合成する第１モード（背景モード）と、ＧＰＵで生成された映像レイヤまたはＡ／Ｖ処理部２４０で生成された映像レイヤのみを提供する第２モード（ＴＶモード）のうちの一つで動作することができる。
【００９６】
以下においては、図６Ａないし図１３を参照し、電子装置１００がディスプレイ装置２００にガラス窓効果を提供するために用いられる背景映像を獲得する方法を説明する。
【００９７】
まず、電子装置１００は、ディスプレイ装置２００にガラス窓効果を提供するために用いられる背景映像を獲得するためのアプリケーションを実行させる。このとき、電子装置１００は、ユーザ命令に応じてアプリケーションを実行させることができるが、それは一実施形態に過ぎず、ディスプレイ装置２００に表示されたＱＲコード（登録商標）などのようなインディケータを認識してアプリケーションを実行させることができる。
【００９８】
そして、電子装置１００は、ディスプレイ装置２００と通信接続を行う。このとき、電子装置１００は、アプリケーションに含まれたＵＩを介してディスプレイ装置２００と通信を行うことができる。または、電子装置１００は、図６Ａに示すように、ディスプレイ装置２００の形状に対応するＵＩ６１０を含むことができる。このとき、ＵＩ６１０には、「黄色いガイド内にディスプレイ装置２００を合わせてください」というメッセージを含むことができる。そして、撮影されたディスプレイ装置２００がＵＩ６１０内に入った場合、電子装置１００はディスプレイ装置２００を認識し、ディスプレイ装置２００と通信接続のための情報（例えば、ディスプレイ装置２００のアドレス情報など）を獲得し、ディスプレイ装置２００と通信接続を行うことができる。このとき、電子装置１００は、図６Ａに示すように、通信接続完了メッセージ６２０を表示することができる。
【００９９】
一方、上述の実施形態では、アプリケーションが実行された後、電子装置１００とディスプレイ装置２００とが通信を行うものとして説明したが、それは一実施形態に過ぎず、アプリケーションが実行される前に予め電子装置１００とディスプレイ装置２００とが通信接続されてよい。
【０１００】
電子装置１００は、撮影部１２０を介してディスプレイ装置２００が表示されたディスプレイ領域及びディスプレイ装置２００周辺の背景領域を含む映像を獲得することができる。
【０１０１】
そして、電子装置１００は、獲得された映像を分析してディスプレイ装置２００が表示されたディスプレイ領域及びディスプレイ装置２００周辺の背景領域を判断することができる。
【０１０２】
本発明の一実施形態として、電子装置１００は、図７Ａに示すように、ディスプレイ領域と背景領域とを区分するためのディスプレイ装置２００の位置をガイドするためのインディケータ７１０を表示することができる。このとき、インディケータ７１０は、ディスプレイ装置２００の形状に対応してよい。ユーザの動作に応じて撮影された映像内にディスプレイ装置２００がインディケータ７１０とマッチすると、電子装置１００は、図７Ｂに示すように、インディケータ７１０を介してディスプレイ装置２００の外郭部分を抽出してディスプレイ領域７２０を判断することができ、ディスプレイ領域７２０から予め設定された範囲内の領域を背景領域７３０と判断することができる。
【０１０３】
更に別の実施形態として、ディスプレイ装置２００は、図８Ａに示すように、ディスプレイ装置２００の角４領域にそれぞれ４つのマーカー８１０−１ないし８１０−４を表示することができる。このとき、ディスプレイ装置２００は、電子装置１００からマーカー生成命令を受信した場合、４つのマーカー８１０−１ないし８１０−４を表示することができる。
【０１０４】
そして、電子装置１００は、図８Ｂに示すように、４つのマーカー８１０−１ないし８１０−４が表示されたディスプレイ装置２００を含む映像を撮影することができる。電子装置１００は、撮影された映像のうち、４つのマーカー８１０−１ないし８１０−４を用いてディスプレイ装置２００の外郭部分を抽出してディスプレイ領域を判断することができ、ディスプレイ領域から予め設定された範囲内の領域を背景領域と判断することができる。このとき、電子装置１００は、４つのマーカー８１０−１ないし８１０−４を用いてディスプレイ領域と背景領域とに対する整列補正を行うことができる。
【０１０５】
そして、電子装置１００は、獲得された映像の中から背景映像を分析してディスプレイ装置２００が表示する背景映像に対する情報を獲得することができる。具体的に、電子装置１００は、背景領域に柄が存在するか否かを判断することができる。このとき、背景領域が柄が存在しない単色の背景領域である場合、電子装置１００は背景領域のＲＧＢ平均値を判断して背景映像に対する情報を獲得することができる。
【０１０６】
背景領域にパターンや柄が存在すると判断された場合、電子装置１００は複数の背景領域を分析して複数の背景映像に対する情報を獲得することができる。具体的に、背景領域は、ディスプレイ領域の上側に位置する第１背景領域、前記ディスプレイ領域の下側に位置する第２背景領域、前記ディスプレイ領域の左側に位置する第３背景領域及び前記ディスプレイ領域の右側に位置する第４背景領域を含んでよい。このとき、ディスプレイ装置２００の大きさは、第１背景領域、第２背景領域、第３背景領域及び第４背景領域のそれぞれに比べて予め設定された倍数の大きさを有してよい。例えば、図９Ａに示すように、ディスプレイ装置２００は、第１背景領域、第２背景領域、第３背景領域及び第４背景領域９１０−１ないし９１０−４のそれぞれに比べて２倍の大きさを有してよく、図９Ｂに示すように、第１背景領域、第２背景領域、第３背景領域及び第４背景領域９１０−１ないし９１０−４のそれぞれに比べて４倍の大きさを有してよい。更に別の実施形態として、図９Ｃに示すように、背景領域の一部９３０が背景映像に対する情報を獲得するために選択されてよい。
【０１０７】
そして、電子装置１００は、複数の背景領域のそれぞれを用いて背景映像を獲得することができる。例えば、電子装置１００は、図１０Ａに示すように、ディスプレイ装置１００の上側背景領域１０１０を用いて第１背景映像を獲得することができる。このとき、背景領域１０１０の大きさがディスプレイ装置２００の半分である場合、電子装置１００は上側背景領域１０１０を二回輻射して背景映像を獲得することができる。電子装置１００は、このような方式で、右側背景領域を用いて第２背景映像を獲得することができ、下側背景領域を用いて第３背景映像を獲得することができ、左側背景映像を用いて第４背景映像を獲得することができる。
【０１０８】
更に別の実施形態によると、電子装置１００は、背景領域に存在するパターンを用いて複数の背景領域のうち少なくとも一つのみを用いて背景映像を獲得することができる。例えば、図１０Ｂの上側に示すように、背景領域のパターンが縦である場合、電子装置１００は上側背景領域１０２０を用いて背景映像を獲得することができる。このとき、電子装置１００は、下側背景領域を用いて背景映像を獲得できることは勿論である。更に別の例として、図１０Ｃの上側に示すように、背景領域のパターンが横である場合、電子装置１００は左側背景領域１０３０を用いて背景領域を獲得することができる。このとき、電子装置１００は、右側背景領域を用いて背景映像を獲得することができる。
【０１０９】
更に別の実施形態として、電子装置１００は、複数の背景領域のうち、異なるパターンを有する背景領域を除き、残りの背景領域のみを用いて背景映像を獲得することができる。例えば、右側背景領域にコンセントが存在する場合、電子装置１００は複数の背景領域のうち右側背景領域を除く残りの背景領域を用いて背景映像を獲得することができる。
【０１１０】
更に別の実施形態として、背景領域の柄パターンが繰り返される場合、電子装置１００は背景領域の一部の領域（繰り返しの柄）をタイル状に輻射して背景映像を獲得することができる。例えば、図１０Ｄに示すように、背景領域がレンガ柄のパターンを有する場合、電子装置１００は背景領域のうちレンガ一つのパターン領域１０４０をタイル状に輻射して背景映像を獲得することができる。このとき、電子装置１００は、図１０Ｅに示すように、ユーザ入力に応じて、パターン領域１０４０を選択できるが、それは一実施形態に過ぎず、レンガ柄のパターンを分析してパターン領域１０４０を選択することができる。
【０１１１】
一方、図１０Ｂないし図１０Ｄを参照して説明したように、特定パターンを有する背景領域を輻射して背景映像を獲得する場合、図１１Ａに示すように、実際の背景領域のパターン１１１０と背景領域のパターン１１２０とが一致しない現象が発生することがある。このとき、電子装置１００は、実際の背景領域のパターン１１１０と背景映像のパターン１１２０とを分析し、図１１Ａの右側に示すように、隣接する領域に位置した実際の背景領域のパターン１１１０と背景映像のパターン１１２０との大きさ及び位置を合わせる補正を行うことができる。更に別の実施形態として、電子装置１００は、図１１Ｂに示すように、ユーザ入力（背景映像のパターン１１２０をドラッグする入力）を通して実際の背景領域のパターン１１１０と背景映像のパターン１１２０とを一致させることができる。
【０１１２】
なお、電子装置１００は、背景映像を補正するための多様な情報を獲得することができる。具体的に、電子装置１００は、ディスプレイ装置２００のカラーセンサから検知された背景領域に対する色温度情報をディスプレイ装置２００から受信することができる。そして、電子装置１００は、ディスプレイ装置２００から受信された色温度情報を基に獲得された映像のホワイトバランス補正のための情報を生成することができる。または、電子装置１００は、ディスプレイ装置２００から受信された色温度情報を基に獲得された映像にホワイトバランス補正を行ってホワイトバランスが補正された背景映像を獲得することができる。更に別の実施形態として、電子装置１００は、図１１Ｂに示すように、背景映像の輝度、色、大きさを補正することができるＵＩ１１３０を表示するようにディスプレイ１３０を制御することができる。
【０１１３】
そして、電子装置１００が複数の背景領域を用いて複数の背景映像を生成する場合、電子装置１００は、図１２に示すように、複数の背景映像を含むＵＩを表示するようにディスプレイ１３０を制御することができる。それにより、ユーザは、複数の背景映像のうち、最適の背景映像を選択することができる。
【０１１４】
背景映像を獲得した後、背景映像をディスプレイ装置２００に伝送する前に電子装置１００は、ディスプレイ領域上に背景映像を表示するようにディスプレイ１３０を制御することができる。すなわち、ユーザは背景映像がどのように表示されるか予め確認し、背景映像に対する情報を獲得することができる。
【０１１５】
そして、電子装置１００は、獲得された背景映像に対する情報をディスプレイ装置２００に伝送する。このとき、背景映像に対する情報には、背景映像だけでなく、背景映像を補正（ホワイトバランス補正など）するための情報などを含むことができる。
【０１１６】
そして、ディスプレイ装置２００は、受信された背景映像に対する情報を獲得して背景映像レイヤを生成することができる。そして、ディスプレイ装置２００は、図１３に示すように、背景映像レイヤとともに映像レイヤを同時に表示してガラス窓に情報が表示されるような効果を提供することができるようになる。このとき、背景映像レイヤと映像レイヤとの間には、イメージ効果レイヤ（例えば、陰効果など）が更に生成されてよい。
【０１１７】
図１４は、本発明の一実施形態に係るディスプレイ装置２００が表示する背景映像を獲得するための電子装置１００を制御する方法を説明するためのフローチャートである。
【０１１８】
まず、電子装置１００は、ディスプレイ装置１００が設定された領域を撮影して映像を獲得する（Ｓ１４１０）。
【０１１９】
そして、電子装置１００は、獲得された映像を分析してディスプレイ装置２００が配置されるディスプレイ領域とディスプレイ装置２００周辺の背景領域を判断する（Ｓ１４２０）。このとき、電子装置１００は、図７Ａないし図８Ｂを参照して説明した方法を用いてディスプレイ領域と背景領域とを判断することができる。
【０１２０】
そして、電子装置１００は、獲得された映像中の背景領域を用いて、ディスプレイ装置２００が設定された位置の背景映像に対する情報を獲得する（Ｓ１４３０）。このとき、電子装置１００は、ＲＧＢ平均値と同じ色情報を用いて背景映像を獲得することができ、複数の背景領域を分析して複数の背景映像を獲得することができる。
【０１２１】
そして、電子装置１００は、獲得された背景映像に対する情報をディスプレイ装置２００に伝送する（Ｓ１４４０）。
【０１２２】
上述のような本発明の多様な実施形態によって、ディスプレイ装置が設定された後でも、背景映像を獲得することができるようになり、従来既に設定されたディスプレイ装置もガラス窓のようなイメージ効果を提供することができるようになる。
【０１２３】
一方、上述の本発明の多様な実施形態に係る電子装置の制御方法は、プログラムが実行されてユーザ端末装置に提供されてよい。具体的に、電子装置の制御方法を含むプログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１２４】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１２５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006768940.tif 000002
【図２】
0006768940.tif 000003
【図３】
0006768940.tif 000004
【図４】
0006768940.tif 000005
【図５】
0006768940.tif 000006
【図６Ａ】
0006768940.tif 000007
【図６Ｂ】
0006768940.tif 000008
【図７Ａ】
0006768940.tif 000009
【図７Ｂ】
0006768940.tif 000010
【図８Ａ】
0006768940.tif 000011
【図８Ｂ】
0006768940.tif 000012
【図９Ａ】
0006768940.tif 000013
【図９Ｂ】
0006768940.tif 000014
【図９Ｃ】
0006768940.tif 000015
【図１０Ａ】
0006768940.tif 000016
【図１０Ｂ】
0006768940.tif 000017
【図１０Ｃ】
0006768940.tif 000018
【図１０Ｄ】
0006768940.tif 000019
【図１０Ｅ】
0006768940.tif 000020
【図１１Ａ】
0006768940.tif 000021
【図１１Ｂ】
0006768940.tif 000022
【図１１Ｃ】
0006768940.tif 000023
【図１２】
0006768940.tif 000024
【図１３】
0006768940.tif 000025
【図１４】
0006768940.tif 000026